(57)【要約】【課題】螺子体を用いることなく導光板を支持体に簡易に取付けることができ、しかも、導光板を簡易に取外すことができる係止構造、該係止構造を備える係止具、該係止具を備える導光板、該導光板を備える光源装置、及び該光源装置を備える表示装置を提供する。【解決手段】挿通孔３５を有し、一側面から入光した光を一面から出光する導光板３と、前記一側面に対向する発光ダイオードと、嵌合孔２３を有し、導光板３を支持する発光ダイオード基板２と、嵌合孔２３への嵌入により係止される抜止突起４２を有し嵌合孔２３の中心軸と略直交する方向への相対移動が可能な係止具４とを備え、抜止突起４２の先端部に、抜止突起４２を嵌合孔２３の周面へ付勢し、且つ係止具４の前記相対移動により撓み、抜止突起４２を嵌合孔２３から抜出すことが可能な可撓部材４３を設けた。【選択図】図１２
2010160972.tif 000002
【特許請求の範囲】
【請求項１】
孔を有する第１物体に、前記孔への挿入により係止される抜止突起を有する第２物体を係止する係止構造において、前記第１物体及び第２物体は前記孔の中心軸と交差する方向への相対移動が可能であり、前記抜止突起を前記孔の周面へ向けて付勢し、且つ前記第１物体及び第２物体の相対移動により撓み、前記抜止突起を前記孔から抜出すことが可能な可撓部材を備えることを特徴とする係止構造。
【請求項２】
前記可撓部材は、前記抜止突起とともに前記孔から抜出ることを可能に前記抜止突起に設けてある請求項１記載の係止構造。
【請求項３】
前記可撓部材は、その長手方向の一端部が前記抜止突起の先端部に連なる板状をなし、該可撓部材の他端部が前記孔の周面に当接している請求項１又は２記載の係止構造。
【請求項４】
基体及び該基体に連なり、前記基体を支持する支持体に開設されている孔への挿入により係止される抜止突起を有する係止具において、前記抜止突起は、その先端部が前記抜止突起の周面と離隔して対向する可撓部を有することを特徴とする係止具。
【請求項５】
孔を有する支持体に支持され、一側面から入光した光を一面から出光する導光板において、他面から突出し、前記孔への挿入により係止される抜止突起、及びその長手方向の一端部が前記抜止突起に連なる板状をなし、他端部が前記抜止突起の周面と離隔して対向する可撓部を有することを特徴とする導光板。
【請求項６】
一側面から入光した光を一面から出光する導光板と、前記一側面に対向する光源と、前記第１物体を構成し、前記導光板を支持する支持体と、前記第２物体を構成する係止具を有し、前記導光板を前記支持体に装着する請求項１から３のいずれか一つに記載の係止構造とを備えることを特徴とする光源装置。
【請求項７】
前記第２物体を構成し、一側面から入光した光を一面から出光する導光板と、前記一側面に対向する光源と、前記第１物体を構成し、前記導光板を摺動を可能に支持する支持体と、請求項１から３のいずれか一つに記載の係止構造とを備えることを特徴とする光源装置。
【請求項８】
挿通孔を有し、一側面から入光した光を一面から出光する導光板と、前記一側面に対向する光源と、前記導光板を支持する支持体と、前記抜止突起が前記挿通孔に挿入される請求項４に記載の係止具とを備え、前記抜止突起及び可撓部が挿入される孔を前記支持体に開設してあることを特徴とする光源装置。
【請求項９】
請求項５に記載の導光板と、該導光板の前記一側面に対向する光源と、前記導光板を摺動を可能に支持する支持体とを備え、該支持体に、前記抜止突起及び可撓部が挿入される孔を開設してあることを特徴とする光源装置。
【請求項１０】
前記支持体は、前記孔を有し、前記光源が実装されている基板及び該基板を支持する支持板を備え、該支持板に、前記抜止突起の先端部を収容する凹部を設けてある請求項９記載の光源装置。
【請求項１１】
前記支持体は、前記孔を有し、前記光源が実装されている基板及び該基板を支持する支持板を有し、前記基板を前記支持板に固定する雄螺子を備え、前記導光板は前記雄螺子にて固定される被固定部を有する請求項９記載の光源装置。
【請求項１２】
一側に表示面を有する表示部と、該表示部の他側に配されている請求項６から１１のいずれか一つに記載の光源装置とを備えることを特徴とする表示装置。
【発明の詳細な説明】
【技術分野】
【０００１】
本発明は孔を有する第１物体に、前記孔への挿入により係止される抜止突起を有する第２物体を係止する係止構造、これを備える係止具、導光板、これを備える光源装置、及びこれを備える表示装置に関する。
【背景技術】
【０００２】
液晶の表示装置は、液晶パネルの裏側に導光板を配し、該導光板の一側に光源を配してあるエッジライト型と、液晶パネルの裏側に拡散板を配し、該拡散板の裏側に光源を配してある直下ライト型とがある。
【０００３】
エッジライト型の表示装置は、複数の導光板を直交する二方向に平坦に並べて配し、導光板夫々の一側に光源を配し、光源夫々に対応する導光板の一面から出光する光が表示パネルを照射するように構成されたもの（例えば、特許文献１参照）と、楔形状をなし、支持体に一方向に並べて支持される複数の導光板を備え、隣合う導光板における尖部分と基部分とを重ねて一方向に並置し、導光板の非重なり部と前記支持体との間に、導光板を保持する保持部材を設け、導光板夫々の基部分側に光源を配し、光源夫々に対応する導光板の一面から出光する光が表示パネルを照射するように構成されたもの（例えば、特許文献２参照）とが知られている。
【先行技術文献】
【特許文献】
【０００４】
【特許文献１】特開２００７−２９３３３９号公報
【特許文献２】特開２００１−１８４９２９号公報
【発明の概要】
【発明が解決しようとする課題】
【０００５】
特許文献１、２のように構成された表示装置にあっては、並べて配してある複数の導光板を支持体に固定する必要がある。しかし、特許文献１には、導光板の固定について言及されていない。特許文献２では、導光板の非重なり部と支持体との間に保持部材を設け、各保持部材が導光板を個別に保持してある。
【０００６】
ところが、特許文献２のように導光板の出光面と反対側の面が保持部材にて支持体に保持された表示装置にあっては、導光板が組込まれた後、該導光板を取外すのが困難となる。因って、光源の色合わせ作業の結果、及び光源の輝度調整作業の結果により導光板を一旦取外す必要がある場合とか、保守時及びリサイクル時に導光板を一旦取外す必要がある場合、導光板を出光面側から取外すのが困難となる。
【０００７】
特許文献１、２のように構成された表示装置において、並べて配してある導光板を出光面側から簡易に取外すことができるように固定する手段として、導光板に対応する個数の貫通孔を支持体に開設し、該貫通孔に捩込まれる雄螺子にて固定すること、又は、導光板に対応する個数の貫通孔を支持体に開設し、該貫通孔に挿入される雄螺子にナットを螺着して固定することが考えられる。
【０００８】
しかし、近年の表示装置は益々大型化の一途をたどっており、表示装置に対応して導光板の個数も増加するため、全ての導光板を雄螺子で固定する作業は効率が悪いし、また、前者の雄螺子を貫通孔に捩込むことにより固定する手段にあっては、雄螺子の捩込みに伴って切粉が発生するという問題があり、また、後者の雄螺子及びナットにて固定する手段にあっては、部品点数が増加し、導光板の固定作業性効率がより一層悪くなるという問題がある。
【０００９】
本発明は斯かる事情に鑑みてなされたものであり、主たる目的は螺子体を用いることなく導光板等の第２物体を、導光板等を支持する第１物体に係止することができ、しかも、第２物体を簡易に取外すことができる係止構造、該係止構造を備える係止具、該係止具を備える導光板、該導光板を備える光源装置、及び該光源装置を備える表示装置を提供することにある。
【課題を解決するための手段】
【００１０】
本発明に係る係止構造は、孔を有する第１物体に、前記孔への挿入により係止される抜止突起を有する第２物体を係止する係止構造において、前記第１物体及び第２物体は前記孔の中心軸と交差する方向への相対移動が可能であり、前記抜止突起を前記孔の周面へ向けて付勢し、且つ前記第１物体及び第２物体の相対移動により撓み、前記抜止突起を前記孔から抜出すことが可能な可撓部材を備えることを特徴とする。
【００１１】
この発明にあっては、第１物体の孔に挿入された抜止突起は、可撓部材にて孔の周面へ付勢され、孔縁部に係止されているため、第２物体の係止状態を維持することができる。また、第１物体と第２物体との一方を孔の中心軸と略直交する方向へ移動させることにより可撓部材を撓ませ、孔内の抜止突起を前記付勢の方向と反対方向へ移動させることができるため、抜止突起の係止を解除でき、該抜止突起を孔から容易に抜出すことができる。因って、第２物体又は第１物体を孔の中心軸と略直交する方向へ移動操作した後、第２物体を孔の中心軸方向へ抜出し操作を行うだけで第２物体を取外すことができる。
【００１２】
また、本発明に係る係止構造は、前記可撓部材は、前記抜止突起とともに前記孔から抜出ることを可能に前記抜止突起に設けてある構成とするのが好ましい。
この発明にあっては、可撓部材が抜止突起に設けられているため、部品点数を増加することなく第２物体を係止することができ、第２物体の係止作業性を向上することができる。
【００１３】
また、本発明に係る係止構造は、前記可撓部材は、その長手方向の一端部が前記抜止突起の先端部に連なる板状をなし、該可撓部材の他端部が前記孔の周面に当接している構成とするのが好ましい。
この発明にあっては、抜止突起が孔へ挿入されるとき、該抜止突起とともに可撓部材が孔に挿入され、該可撓部材の他端部が孔の周面に当接して抜止突起を孔の周面へ付勢し、抜止突起を孔縁部に係止することができるため、第１物体の係止状態を維持することができる。また、第１物体と第２物体との一方を孔の中心軸と略直交する方向へ移動操作した後、該第１物体を孔の中心軸方向へ抜出し操作を行うことにより可撓部材を抜止突起とともに孔から抜出すことができる。因って、第２物体又は第１物体を孔の中心軸と略直交する方向へ移動操作した後、第２物体を孔の中心軸方向へ抜出し操作を行うだけで第２物体を取外すことができる。また、可撓部材を抜止突起と一体に成形することができるため、可撓部材によるコスト増しを低減でき、安価にできる。
【００１４】
また、本発明に係る係止具は、基体及び該基体に連なり、前記基体を支持する支持体に開設されている孔への挿入により係止される抜止突起を有する係止具において、前記抜止突起は、その先端部が前記抜止突起の周面と離隔して対向する可撓部を有することを特徴とする。
この発明にあっては、抜止突起が孔へ挿入されるとき、該抜止突起とともに可撓部が孔に挿入され、該可撓部の他端部が孔の周面に当接して抜止突起を孔の周面へ付勢し、抜止突起を孔縁部に係止することができるため、係止具の係止状態を維持することができる。また、係止具と支持体との一方を孔の中心軸と略直交する方向へ移動操作した後、係止具を孔の中心軸方向へ抜出し操作を行うことにより可撓部を抜止突起とともに孔から抜出すことができる。因って、係止具又は支持体を孔の中心軸と略直交する方向へ移動操作した後、係止具を孔の中心軸方向へ抜出し操作を行うだけで係止具を取外すことができる。
【００１５】
また、本発明に係る導光板は、孔を有する支持体に支持され、一側面から入光した光を一面から出光する導光板において、他面から突出し、前記孔への挿入により係止される抜止突起、及びその長手方向の一端部が前記抜止突起に連なる板状をなし、他端部が前記抜止突起の周面と離隔して対向する可撓部を有することを特徴とする。
この発明にあっては、抜止突起が孔へ挿入されるとき、該抜止突起とともに可撓部が孔に挿入され、該可撓部の他端部が孔の周面に当接して抜止突起を孔の周面へ付勢し、抜止突起を孔縁部に係止することができるため、導光板の係止状態を維持することができる。また、導光板と支持体との一方を孔の中心軸と略直交する方向へ移動操作した後、導光板を孔の中心軸方向へ抜出し操作を行うことにより可撓部を抜止突起とともに孔から抜出すことができる。因って、導光板又は支持体を孔の中心軸と略直交する方向へ移動操作した後、導光板を孔の中心軸方向へ抜出し操作を行うだけで導光板を取外すことができる。
【００１６】
また、本発明に係る光源装置は、一側面から入光した光を一面から出光する導光板と、前記一側面に対向する光源と、前記第１物体を構成し、前記導光板を支持する支持体と、前記第２物体を構成する係止具を有し、前記導光板を前記支持体に装着する前述した発明の係止構造とを備えることを特徴とする。
この発明にあっては、係止具の抜止突起が孔へ挿入されるとき、該抜止突起とともに可撓部材が孔に挿入され、該可撓部材の先端部が孔の周面に当接して抜止突起を孔の周面へ付勢し、抜止突起を孔縁部に係止することができるため、係止具による導光板の取付状態を維持することができる。また、係止具と支持体との一方を孔の中心軸と略直交する方向へ移動操作した後、係止具を孔の中心軸方向へ抜出し操作を行うことにより可撓部材を抜止突起とともに孔から抜出すことができる。因って、係止具又は支持体を孔の中心軸と略直交する方向へ移動操作した後、係止具を孔の中心軸方向へ抜出し操作を行うだけで導光板を取外すことができる。
【００１７】
また、本発明に係る光源装置は、前記第２物体を構成し、一側面から入光した光を一面から出光する導光板と、前記一側面に対向する光源と、前記第１物体を構成し、前記導光板を摺動を可能に支持する支持体と、前述した発明の係止構造とを備えることを特徴とする。
この発明にあっては、導光板の抜止突起が孔へ挿入されるとき、該抜止突起とともに可撓部が孔に挿入され、該可撓部の先端部が孔の周面に当接して抜止突起を孔の周面へ付勢し、抜止突起を孔縁部に係止することができるため、導光板の係止状態を維持することができる。また、導光板と支持体との一方を孔の中心軸と略直交する方向へ移動操作した後、導光板を孔の中心軸方向へ抜出し操作を行うことにより可撓部材を抜止突起とともに孔から抜出すことができる。因って、導光板又は支持体を孔の中心軸と略直交する方向へ移動操作した後、導光板を孔の中心軸方向へ抜出し操作を行うだけで導光板を取外すことができる。
【００１８】
また、本発明に係る光源装置は、挿通孔を有し、一側面から入光した光を一面から出光する導光板と、前記一側面に対向する光源と、前記導光板を支持する支持体と、前記抜止突起が前記挿通孔に挿入される前述した発明の係止具とを備え、前記抜止突起及び可撓部が挿入される孔を前記支持体に開設してあることを特徴とする。
この発明にあっては、支持体の孔に挿入された抜止突起は、可撓部にて孔の周面へ付勢され、孔縁部に係止されているため、係止具にて導光板の取付状態を維持することができる。また、係止具と支持体との一方を孔の中心軸と略直交する方向へ移動させることにより可撓部を撓ませ、孔内の抜止突起を前記付勢の方向と反対方向へ移動させることができるため、抜止突起の係止を解除でき、該抜止突起を孔から容易に抜出すことができる。因って、係止具又は支持体を孔の中心軸と略直交する方向へ移動操作した後、係止具を孔の中心軸方向へ抜出し操作を行うだけで導光板を取外すことができる。
【００１９】
また、本発明に係る光源装置は、前述した発明の導光板と、該導光板の前記一側面に対向する光源と、前記導光板を摺動を可能に支持する支持体とを備え、該支持体に、前記抜止突起及び可撓部が挿入される孔を開設してあることを特徴とする。
この発明にあっては、抜止突起が孔へ挿入されるとき、該抜止突起とともに可撓部が孔に挿入され、該可撓部の先端部が孔の周面に当接して抜止突起を孔の周面へ付勢し、抜止突起を孔縁部に係止することができるため、導光板の係止状態を維持することができる。また、導光板と支持体との一方を孔の中心軸と略直交する方向へ移動操作した後、導光板を孔の中心軸方向へ抜出し操作を行うことにより可撓部を抜止突起とともに孔から抜出すことができる。因って、導光板又は支持体を孔の中心軸と略直交する方向へ移動操作した後、導光板を孔の中心軸方向へ抜出し操作を行うだけで導光板を取外すことができる。
【００２０】
また、本発明に係る光源装置は、前記支持体は、前記孔を有し、前記光源が実装されている基板及び該基板を支持する支持板を備え、該支持板に、前記抜止突起の先端部を収容する凹部を設けてある構成とするのが好ましい。
この発明にあっては、基板の孔に挿入された抜止突起は、可撓部にて孔の周面へ付勢され、孔縁部に係止されているため、導光板の係止状態を維持することができる。この際、抜止突起の先端部は支持板の凹部に収容されているため、支持板から離隔する基板の離隔距離を比較的短くすることができ、光源装置をより一層薄型化できる。
【００２１】
また、本発明に係る光源装置は、前記支持体は、前記孔を有し、前記光源が実装されている基板及び該基板を支持する支持板を有し、前記基板を前記支持板に固定する雄螺子を備え、前記導光板は前記雄螺子にて固定される被固定部を有する構成とするのが好ましい。
この発明にあっては、基板を支持板に固定する雄螺子が導光板の被固定部を固定し、導光板の移動を防いでいるため、導光板が不用意に移動操作されるのを防ぐことができ、また、螺子体を弛緩操作することにより、導光板を孔の中心軸と略直交する方向へ移動操作することができ、該導光板を簡易に取外すことができる。
【００２２】
また、本発明に係る表示装置は、一側に表示面を有する表示部と、該表示部の他側に配されている前述した発明の光源装置とを備えることを特徴とする。
この発明にあっては、係止具又は導光板を、抜止突起が挿入される孔の中心軸と略直交する方向へ移動操作した後、係止具又は導光板を孔の中心軸方向へ抜出し操作を行うだけで導光板を取外すことができる。
【発明の効果】
【００２３】
本発明によれば、抜止突起を孔へ挿入することにより第２物体を係止することができ、また、第２物体又は第１物体を、抜止突起が挿入される孔の中心軸と略直交する方向へ移動操作した後、第２物体を孔の中心軸方向へ抜出し操作を行うだけで第２物体を取外すことができるため、第２物体の係止作業性、及び第２物体を取外す際の取外し作業性を高めることができる。
【００２４】
また、本発明によれば、抜止突起を孔へ挿入することにより係止具又は導光板を係止することができ、また、係止具又は導光板を、前記抜止突起が挿入される孔の中心軸と略直交する方向へ移動操作した後、係止具又は導光板を孔の中心軸方向へ抜出し操作を行うだけで導光板を取外すことができるため、係止具又は導光板の係止作業性、及び係止具又は導光板を取外す際の取外し作業性を高めることができる。
【図面の簡単な説明】
【００２５】
【図１】本発明に係る表示装置の構成を示す一部を省略した縦断側面図である。
【図２】本発明に係る表示装置の構成を示す一部を省略した背面図である。
【図３】光源装置の構成を示す模式的分解図である。
【図４】光源装置の構成を示す模式的正面側斜視図である。
【図５】光源装置の構成を示す模式的断面図である。
【図６】光源装置の導光板と発光ダイオード基板との関係を示す正面図である。
【図７】光源装置の発光ダイオード基板の構成を示す正面図である。
【図８】図６のVIII−VIII線の拡大断面図である。
【図９】光源装置の導光板の構成を示す斜視図である。
【図１０】図６のX −X 線の拡大断面図である。
【図１１】光源装置の係止具の構成を示す拡大断面図である。
【図１２】係止具装着部分の構成を示す拡大断面図である。
【図１３】光源装置の導光板を取外す際の作動を示す説明図である。
【図１４】光源装置の導光板と発光ダイオード基板との他の関係を示す正面図である。
【図１５】図１４のXV−XV線の拡大断面図である。
【図１６】図１４のXVI −XVI 線の拡大断面図である。
【発明を実施するための形態】
【００２６】
以下本発明をその実施の形態を示す図面に基づいて詳述する。
実施の形態１
図１は本発明に係る表示装置の構成を示す一部を省略した縦断側面図、図２は表示装置の構成を示す一部を省略した背面図である。
【００２７】
図示した表示装置は、テレビ画像を表示する表示面を前面（表側）に有し、略直方体をなす表示部Ａと、該表示部Ａの後側（裏側）に配され、略直方体をなす光源装置Ｂと、該光源装置Ｂ及び表示部Ａの間に配され、周縁部が光源装置Ｂに支持される光学シートＣと、表示部Ａの周縁部及び光源装置Ｂの後側を隠蔽するキャビネットと、光源装置Ｂの後面に取付けられ、起立状態で支持するスタンドとを備える液晶テレビジョン、換言すれば液晶表示装置である。
【００２８】
図３は光源装置の構成を示す模式的分解図、図４は光源装置の構成を示す模式的正面側斜視図、図５は光源装置の構成を示す模式的断面図、図６は導光板と発光ダイオード基板との関係を示す正面図、図７は発光ダイオード基板の構成を示す正面図、図８は図６のVIII−VIII線の拡大断面図、図９は導光板３の構成を示す斜視図、図１０は図６のX −X 線の拡大断面図である。
【００２９】
光源装置Ｂは、碁盤目のように並置される光源としての複数の発光ダイオード１と、該発光ダイオード１を実装してあり、格子状に並置される複数の発光ダイオード基板２と、隣合う発光ダイオード基板２に両端が接続されるフレキシブルプリント基板と、該発光ダイオード基板２に対応して並置され、発光ダイオード１が発光した光を光学シートＣの面方向へ導く複数の導光板３と、該導光板３夫々を発光ダイオード基板２に取付けるための係止具４と、発光ダイオード基板２を収容支持する支持板５とを備える。尚、発光ダイオード基板２が第１物体を構成し、係止具４が第２物体を構成している。
【００３０】
発光ダイオード基板２は略直方形をなし、一面に複数の発光ダイオード１を長手方向及び幅方向に並べて実装してあり、支持板５の内側に取付けられている。
【００３１】
発光ダイオード１は図３(a) に示すように発光ダイオード基板２の長手方向に例えば８個、幅方向に例えば４個、合計で３２個実装してあり、発光ダイオード１夫々に対応して３２個の導光板３を発光ダイオード基板２上に配してあり、また、前記長手方向一列の発光ダイオード１に対応して１枚の反射板６、合計４枚の反射板６を配してある。
【００３２】
１つの発光ダイオード基板２と導光板３との関係は図３(b) に示すように構成されており、図４に示すように支持板５の前面に上下方向及び横方向に並べて配置されている。発光ダイオード基板２と支持板５との間には、発光ダイオード基板２に伝達される熱を支持板５へ放熱する放熱部材７が設けられている。発光ダイオード基板２には、該発光ダイオード基板２を雄螺子８にて支持板５に取付けるための複数の貫通孔２１と、導光板３の発光ダイオード１に対する位置を決める位置決め孔２２と、導光板３を係止具４にて発光ダイオード基板２に取付けるための嵌合孔２３とが開設されている。また、発光ダイオード基板２の発光ダイオード１夫々に臨む部分には反射層２４がシルク印刷により形成されている。
【００３３】
並置された発光ダイオード基板２において、前記長手方向一列の発光ダイオード基板２は、隣合う２つ同士がフレキシブルプリント基板にて接続され、一端の発光ダイオード基板２が後記する電源回路基板にフレキシブルプリント基板にて接続され、他端の発光ダイオード基板２が後記する制御回路基板にフレキシブルプリント基板にて接続されている。
【００３４】
導光板３は縦長の略直方体をなす合成樹脂製であり、光学シートＣと対向する一面に、一側の入光面３１に入光した光を入光面３１とほぼ直交する方向へ照射する出光面３２、及び該出光面３２に連なる非出光面３３を有し、他面に反射板６が設けられており、発光ダイオード１の一側と対向する位置に入光面３１を配してある。具体的には、長手方向一方側の一面が発光ダイオード基板２と平行の扁平な出光面３２、長手方向他方側の一面が発光ダイオード基板２に対して傾斜する非出光面３３、及び他面が発光ダイオード基板２に対して傾斜する傾斜面になっている。
【００３５】
導光板３の長手方向他方側の端部、換言すると非出光面３３の端部には、入光面３１が内面の一部を構成する四角形の収容孔３４と、係止具４が挿通される挿通孔３５とが開設されており、また、位置決め孔２２に対応する位置決め凸部２０が設けられている。また、他面の傾斜面に反射板６が貼付けられている。
【００３６】
横方向に並置される導光板３の隣合う二つは、入光面３１側が一体に成形されて連なり、導光板群３ａを構成している。導光板群３ａの四つは１mm程度の比較的小さい隙間Ｅにて横方向へ離隔しており、また、隣合う二つの導光板３の出光面３２側は前記隙間Ｅにて横方向へ離隔し、導光板３の熱膨張を吸収するように構成されている。
【００３７】
導光板群３ａの非出光面３３の端部には、発光ダイオード基板２を取付けるための雄螺子８の頭部を収容する凹部３６と、発光ダイオード１の発光の有無を検出するセンサ９を収容するための収容孔３７とが開設されている。
【００３８】
導光板３は一面の傾斜する非出光面３３と、隣合う導光板３における出光面３２側の他面とを重ねて複数の縦列に配され、導光板３夫々の出光面３２は発光ダイオード基板２夫々に対して等距離の面一となり、隣合う縦列の間は前記した隙間Ｅにて離隔する。複数列に配された導光板３夫々は、嵌合孔２３の中心軸と略直交する方向への摺動を可能とした係止具４により発光ダイオード基板２に取付けられる。
【００３９】
図１１は係止具の構成を示す拡大断面図、図１２は係止具装着部分の構成を示す拡大断面図である。係止具４は、平板状の基体４１及び該基体４１の一面に連なり、嵌合孔２３への挿入により係止される抜止突起４２と、該抜止突起４２の先端部に一体に連なる可撓部材４３とを有し、合成樹脂材にて一体に成形され、隣合う導光板群３ａの挿通孔３５から嵌合孔２３へ抜止突起４２を嵌入することにより導光板３を発光ダイオード基板２に固定するように構成されている。基体４１の他面には滑止め用の鋸歯状をなす凹凸部４４が設けられている。
【００４０】
抜止突起４２は円形をなす嵌合孔２３の約１／２の断面積を有し、嵌合孔２３内で、該嵌合孔２３の中心軸と略直交する方向への移動を可能に構成されており、該抜止突起４２の先端部一側に、嵌合孔２３の縁部に係止される凸部４２ａが設けられている。
【００４１】
可撓部材４３は細幅の板状をなし、基部から基体４１側へ屈曲し、抜止突起４２の凸部４２ａと反対側の周面（他側）部と離隔して対向している。可撓部材４３の先端部は嵌合孔２３の周面に当接し、弾性復元力にて抜止突起４２を嵌合孔２３の周面へ付勢している。また、可撓部材４３は、抜止突起４２が嵌合孔２３内で該嵌合孔２３の中心軸と略直交する方向へ移動したときに撓み、抜止突起４２とともに嵌合孔２３から抜出すことができるように構成されている。
【００４２】
支持板５は金属板を四角形の浅皿状に成形してなり、周縁部には光学シートＣを支持する環板部５１が一体に成形されている。支持板５の内側には発光ダイオード基板２及び該発光ダイオード基板２に保持されている導光板３が収容され、環板部５１に光学シートＣが載置され、該光学シートＣの全周縁部に表示部Ａが載置される。
【００４３】
支持板５の内側は、発光ダイオード基板２に保持されている導光板３夫々の出光面３２部分の高さとほぼ等しい深さに形成され、環板部５１にて支持する光学シートＣの一面と導光板３夫々の出光面３２とが接触するようになしてあり、また、発光ダイオード基板２の貫通孔２１に対応する緊締孔５２が開設されている。
【００４４】
支持板５の後面の横方向一側部には、発光ダイオード基板２のドライバに電圧を供給する電源回路基板１０が取付けられており、横方向他側部には、前記ドライバを制御する制御回路基板１１が取付けられている。また、支持板５の後面の横方向中央部には表示部Ａに電圧を供給する電源回路基板１２、表示部Ａの表示面に表示される画像を処理する端子回路基板１３、表示部Ａを制御する制御回路基板１４等の複数の回路基板が取付けられている。
【００４５】
表示部Ａは、略直方体をなし、前後側に偏光板が貼着されている表示パネル１５と、該表示パネル１５の周縁部を前後で挾持して保持する前保持枠体１６及び後保持枠体１７とを有し、前保持枠体１６及び後保持枠体１７が支持体５の環板部５１に取付けられている。
【００４６】
光学シートＣは、発光ダイオード１が発光した光を拡散する比較的厚肉の合成樹脂製の拡散板１８と、反射偏光シート、プリズムシート、拡散シート等の比較的薄肉の合成樹脂シート１９とが積層された積層体であり、表示パネル１５に対応して略直方形に形成されている。合成樹脂シート１９は拡散板１８よりも小型に形成され、拡散板１８の周面よりも中央側に配してある。
【００４７】
キャビネットは、表示部Ａの周縁部前側及び周縁部外周りを隠蔽する枠状のキャビネット前分体と、光源装置Ｂの後側を隠蔽するキャビネット後分体とを備える。
【００４８】
以上のように構成された表示装置の組立ては例えば次の(1) 〜(6) の工程で行う。
(1) 作業台上に前面を上向にして平置きされた支持板５の内側に発光ダイオード基板２が上下方向及び横方向に並べて配置され、発光ダイオード基板２の貫通孔２１に挿入される雄螺子８が支持板５の緊締孔５２に捩じ込まれることにより支持板５に固定される。
(2) 発光ダイオード基板２夫々の上に導光板群３ａが上下方向に並べて載置され、導光板群３ａ夫々が係止具４にて発光ダイオード基板２に固定され、光源装置Ｂが形成される。この際、導光板３における一面の非出光面３３と、隣合う導光板３における出光面３２側他面とが重なり、隣合う導光板３における一面の出光面３２間はごく僅かな隙間となる。また、導光板３夫々における出光面３２は環板部５１とほぼ等しい高さとなる。
(3) 支持板５における環板部５１に拡散板１８が載置され、該拡散板１８上に合成樹脂シート１９が積層される。
(4) 別の作業台上に搬送された後、表示部Ａの後保持枠体１７を下向きにした状態で支持板５における環板部５１に表示部Ａが載置される。
(5) 前保持枠体１６及び後保持枠体１７に開設されている取付孔に挿入される雄螺子を、支持板５の環板部５１に開設されている取付孔に捩込むことにより表示部Ａが支持板５に装着される。この際、後保持枠体１７が拡散板１８の周縁部に接触し、拡散板１８は環板部５１に固定される。
(6) スタンドにより表示部Ａ及び光源装置Ｂが作業台上に起立された後、表示部Ａの前側にキャビネット前分体が被嵌され、光源装置Ｂの後側にキャビネット後分体が被嵌される。
【００４９】
上記(2) において、係止具４による導光板３の取付けは、係止具４における基体４１を摘み、抜止突起４２を挿通孔３５から嵌合孔２３へ嵌入する。この際、抜止突起４２とともに可撓部材４３が挿通孔３５から嵌合孔２３へ挿入される。可撓部材４３は先端部が嵌合孔２３の周面に当接して撓み、弾性復元力により抜止突起４２を嵌合孔２３の周面へ付勢し、抜止突起４２の凸部４２ａが嵌合孔２３の縁部に係止され、抜止突起４２の嵌合孔２３からの抜け出しが阻止され、導光板３の取付状態を維持することができる。
【００５０】
このように係止具４は、抜止突起４２を挿通孔３５から嵌合孔２３へ嵌入するだけ、換言すると一方向へ操作するだけで導光板３を取付けることができるため、上下方向及び横方向に並置される導光板３の取付けを簡易に行うことができ、取付作業効率を高めることができる。
【００５１】
図１３は導光板を取外す際の作動を示す説明図である。以上のように取付けられている導光板３を取外す場合、係止具４における基体４１の凹凸部４４に指を当て、嵌合孔２３の中心軸と略直交する方向へ摺動操作を行うことにより、抜止突起４２が可撓部材４３の付勢力に打ち勝って嵌合孔２３内で前記中心軸と略直交する方向へ移動し、可撓部材４３が撓むとともに、凸部４２ａの孔縁部への係止が解除され、この状態で基体４１を摘み、係止具４を嵌合孔２３の中心軸方向へ抜出し操作を行うことにより、抜止突起４２とともに可撓部材４３を嵌合孔２３から抜出すことができ、導光板３を取外すことができる。
【００５２】
このように係止具４は嵌合孔２３の中心軸と略直交する方向へ摺動操作した後、係止具４を嵌合孔２３の中心軸方向へ抜出し操作を行うだけで導光板３を取外すことができるため、表示装置の組立ての途中に導光板３を取外したり、リサイクル時に導光板３を取外したりする場合の取外し作業性を向上することができる。
【００５３】
実施の形態２
図１４は本発明に係る表示装置が備える光源装置の導光板と発光ダイオード基板との他の関係を示す正面図、図１５は図１４のXV−XV線の拡大断面図、図１６は図１４のXVI −XVI 線の拡大断面図である。
【００５４】
この光源装置は、係止具４をなくし、発光ダイオード基板２の嵌合孔２３に嵌入される抜止突起３８を導光板３に設け、導光板３を嵌合孔２３の中心軸と略直交する方向へ摺動可能とし、抜止突起３８の先端部に可撓部３９を設けたものであり、抜止突起３８及び可撓部３９は導光板３と一体に成形されている。
【００５５】
抜止突起３８は円形をなす嵌合孔２３の約１／２の断面積を有し、嵌合孔２３内で、該嵌合孔２３の中心軸と略直交する方向への移動を可能に構成されており、該抜止突起３８の先端部一側に、嵌合孔２３の縁部に係止される凸部３８ａが設けられている。
【００５６】
可撓部３９は細幅の略矩形をなす板状をなし、抜止突起３８の先端部に連なる一端部から導光板３側へ屈曲し、抜止突起３８の凸部３８ａと反対側の周面（他側）部と離隔して対向し、他端部が嵌合孔２３の周面に当接し、弾性復元力にて抜止突起３８を嵌合孔２３の周面へ付勢している。また、可撓部３９は、抜止突起３８が嵌合孔２３内で該嵌合孔２３の中心軸と略直交する方向への移動したときに撓み、抜止突起３８とともに嵌合孔２３から抜出すことができるように構成されている。
【００５７】
支持板５の嵌合孔２３と対向する箇所には、抜止突起３８の先端部を収容する凹部５３が成形されている。また、導光板３の雄螺子８と対向する箇所には、雄螺子８の頭部にて固定され、導光板３の摺動（移動）を不可能にする被固定部３０が設けられている。
【００５８】
以上の構成において、導光板３の取付けは、導光板３を摘み、抜止突起３８を嵌合孔２３へ嵌入する。この際、抜止突起３８とともに可撓部３９が嵌合孔２３へ挿入される。可撓部３９は他端部が嵌合孔２３の周面に当接して撓み、弾性復元力により抜止突起３８を嵌合孔２３の周面へ付勢し、抜止突起３８の凸部３８ａが嵌合孔２３の縁部に係止され、抜止突起３８の嵌合孔２３からの抜け出しが阻止され、導光板３の係止状態を維持することができる。
【００５９】
このように導光板３は、抜止突起３８を嵌合孔２３へ嵌入するだけ、換言すると一方向へ操作するだけで導光板３を係止することができるため、上下方向及び横方向に並置される導光板３の係止を簡易に行うことができ、係止作業効率を高めることができる。
【００６０】
導光板３が係止された後、該導光板３の摺動方向一端に配されている導光板３の被固定部３０が、発光ダイオード基板２が取付けられている雄螺子８にて固定され、該導光板３の摺動が阻止されている。従って、導光板３よりも前記摺動方向と反対側に配されている他の導光板３の不用意な摺動を防ぐことができる。また、抜止突起３８の先端部は支持板５の凹部５３に収容されているため、支持板５から離隔する発光ダイオード基板２の離隔距離を比較的短くすることができ、光源装置をより一層薄型化できる。また、抜止突起３８の先端部は支持板５の凹部５３に収容されているため、抜止突起３８が嵌合孔２３内で該嵌合孔２３の中心軸と略直交する方向へ移動させようとしても撓みにくくなり、導光板３の不用意な摺動を防ぐ。
【００６１】
尚、以上説明した実施の形態では、光源装置Ｂが係止具４を備える構成としたが、その他、係止具４は光源装置Ｂ以外に用いることも可能である。
【００６２】
また、以上説明した実施の形態では、隣合う二つの導光板３の非出光面３３側が一体に連なる導光板群３ａを備える構成としたが、その他、導光板３は夫々が別個に形成された構成としてもよい。
【符号の説明】
【００６３】
Ａ    表示部
Ｂ    光源装置
１    発光ダイオード（光源）
２    発光ダイオード基板（第１物体、基板）
２３  嵌合孔（孔）
３    導光板（第２物体）
３０  被固定部
３５  挿通孔
３８  抜止突起
３９  可撓部
４    係止具（第２物体）
４１  基体
４２  抜止突起
４３  可撓部材
５    支持体（発光ダイオード基板、支持板）
５３  凹部
８    雄螺子
【図１】
2010160972.tif 000003
【図２】
2010160972.tif 000004
【図３】
2010160972.tif 000005
【図４】
2010160972.tif 000006
【図５】
2010160972.tif 000007
【図６】
2010160972.tif 000008
【図７】
2010160972.tif 000009
【図８】
2010160972.tif 000010
【図９】
2010160972.tif 000011
【図１０】
2010160972.tif 000012
【図１１】
2010160972.tif 000013
【図１２】
2010160972.tif 000014
【図１３】
2010160972.tif 000015
【図１４】
2010160972.tif 000016
【図１５】
2010160972.tif 000017
【図１６】
2010160972.tif 000018